(57)【要約】【課題】視力補助具が着用された場合に、画面の表示仕様をスムーズに設定することが可能な情報端末装置を提供する。【解決手段】情報端末装置１は、表示部２２と、表示部２２の表示面に対向する領域を撮像する撮像部２４（フロントカメラ１３）と、撮像部２４による撮像画像に基づいて表示部２２を制御する制御部２８と、を備える。制御部２８は、撮像画像から視覚補助具の使用状況を判定し、判定結果に基づいて表示部２２に対する画面の表示仕様を設定する。【選択図】図２
2015215436.tif 000002
【特許請求の範囲】
【請求項１】
表示部と、
前記表示部の表示面に対向する領域を撮像する撮像部と、
前記撮像部による撮像画像に基づいて前記表示部を制御する制御部と、を備え、
前記制御部は、前記撮像画像から視覚補助具の使用状況を判定し、判定結果に基づいて前記表示部に対する画面の表示仕様を設定する、
ことを特徴とする情報端末装置。
【請求項２】
請求項１に記載の情報端末装置において、
前記制御部は、前記情報端末装置が起動中である間、所定の時間間隔で、前記視覚補助具の使用状況を判定し、判定結果に基づいて前記表示部に対する画面の表示仕様を更新する、
ことを特徴とする情報端末装置。
【請求項３】
請求項１または２に記載の情報端末装置において、
前記制御部は、前記視覚補助具の使用状況毎に前記表示仕様の設定を予めユーザから受け付けて登録する処理を実行し、登録した前記表示仕様のうち前記判定結果に対応する前記表示仕様を、前記表示部に設定する、
ことを特徴とする情報端末装置。
【請求項４】
請求項３に記載の情報端末装置において、
前記表示部の画面に対するタッチ入力を検出するタッチセンサーを備え、
前記制御部は、前記表示仕様の設定をユーザから受け付けるための受付画面を前記表示部に表示させ、前記受付画面に対するユーザからの入力に応じて前記受付画面に表示されたサンプル画像の表示仕様を変更する、
ことを特徴とする情報端末装置。
【請求項５】
請求項１ないし４の何れか一項に記載の情報端末装置において、
前記視覚補助具は、眼鏡を含み、
前記画面の表示仕様は、文字サイズを含む、
ことを特徴とする情報端末装置。
【請求項６】
請求項１ないし５の何れか一項に記載の情報端末装置において、
前記視覚補助具は、サングラスを含み、
前記画面の表示仕様は、輝度を含む、
ことを特徴とする情報端末装置。
【発明の詳細な説明】
【技術分野】
【０００１】
本発明は、タブレット端末等の情報端末装置に関する。
【背景技術】
【０００２】
タブレット端末等の情報端末装置には、文字サイズ等の画面の表示仕様をユーザが任意に設定するための機能が設けられている。また、特許文献１には、ユーザの視力を判定し、判定結果に応じて画面の表示仕様を自動で設定する構成が示されている。具体的には、情報端末装置の起動時に視力検査用の図形が表示部に表示され、ユーザに対する視力検査が行われる。視力検査用の図形に対するユーザからの入力をもとに視力が判定され、その判定結果に基づいて表示部の表示仕様が設定される。
【先行技術文献】
【特許文献】
【０００３】
【特許文献１】特開２００７−１６５９７６号公報
【発明の概要】
【発明が解決しようとする課題】
【０００４】
特許文献１の構成では、ユーザに対する視力検査の工程が必要になる。また、情報端末装置の使用が継続される間に、ユーザが眼鏡やサングラス等の視力補助具を着用することもある。この場合、ユーザの視力が変化するが、特許文献１の構成では、この変化にスムーズに対応できない。ユーザは、視力補助具を着用した際に、再び、視力検査用の図形を呼び出して、視力検査を実行する必要がある。
【０００５】
かかる課題に鑑み、本発明は、視力補助具が着用された場合に、画面の表示仕様をスムーズに設定することが可能な情報端末装置を提供することを目的とする。
【課題を解決するための手段】
【０００６】
本発明の主たる態様に係る情報端末装置は、表示部と、前記表示部の表示面に対向する領域を撮像する撮像部と、前記撮像部による撮像画像に基づいて前記表示部を制御する制御部と、を備える。前記制御部は、前記撮像画像から視覚補助具の使用状況を判定し、判定結果に基づいて前記表示部に対する画面の表示仕様を設定する。
【０００７】
本態様に係る情報端末装置によれば、撮像部により撮像された撮像画像をもとに視覚補助具の使用状況が判定され、その判定結果に基づいて表示部に対する画面の表示仕様が設定される。このため、ユーザに対する視力検査の工程を踏む必要がなく、画面の表示仕様をスムーズに設定することが可能となる。
【０００８】
本態様に係る情報端末装置において、前記制御部は、前記情報端末装置が起動中である間、所定の時間間隔で、前記視覚補助具の使用状況を判定し、判定結果に基づいて前記表示部に対する画面の表示仕様を更新するよう構成され得る。こうすると、情報端末装置の使用が継続される間に、ユーザが眼鏡やサングラス等の視力補助具を着用したような場合にも、着用した視力補助具に対応する表示仕様に画面の表示仕様が自動で更新される。よって、画面の表示仕様をスムーズに設定することが可能となる。
【０００９】
また、本態様に係る情報端末装置において、前記制御部は、前記視覚補助具の使用状況毎に前記表示仕様の設定を予めユーザから受け付けて登録する処理を実行し、登録した前記表示仕様のうち前記判定結果に対応する前記表示仕様を、前記表示部に設定するよう構成され得る。こうすると、視覚補助具の使用状況により適正に対応した表示仕様を表示部に設定することができる。
【００１０】
また、本態様に係る情報端末装置は、前記表示部の画面に対するタッチ入力を検出するタッチセンサーを備える構成とされ得る。この場合、前記制御部は、前記表示仕様の設定をユーザから受け付けるための受付画面を前記表示部に表示させ、前記受付画面に対するユーザからの入力に応じて前記受付画面に表示されたサンプル画像の表示仕様を変更するよう構成され得る。こうすると、ユーザは、視覚補助具に対応する表示仕様を簡便に登録することができる。
【００１１】
本態様に係る情報端末装置において、前記視覚補助具は、たとえば眼鏡を含み得る。この場合、前記画面の表示仕様は、文字サイズを含む。こうすると、眼鏡の装着の有無による視力の状況に円滑に対応することが可能となる。
【００１２】
また、本態様に係る情報端末装置において、前記視覚補助具は、たとえばサングラスを含み得る。この場合、前記画面の表示仕様は、輝度を含む。こうすると、サングラスの装着の有無による明るさの状況に円滑に対応することが可能となる。
【発明の効果】
【００１３】
以上のとおり、本発明によれば、視力補助具が着用された場合に、画面の表示仕様をスムーズに設定することが可能な情報端末装置を提供することができる。
【００１４】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１５】
【図１】実施の形態に係る情報端末装置の外観を示す図である。
【図２】実施の形態に係る情報端末装置の構成を示すブロック図である。
【図３】実施の形態に係る表示仕様の設定処理を示すフローチャートである。
【図４】実施の形態に係る表示仕様の設定例を模式的に示す図である。
【図５】変更例に係る表示仕様の登録処理の際の受付画面を示す図である。
【図６】変更例に係る表示仕様の登録処理の際の受付画面を示す図である。
【図７】変更例に係る表示仕様の設定処理を示すフローチャートである。
【発明を実施するための形態】
【００１６】
以下、本発明の実施の形態について、図面を参照して説明する。
【００１７】
図１（ａ）、（ｂ）は、情報端末装置１の外観を示す図である。図１（ａ）は正面図、図１（ｂ）は背面図である。本実施の形態において、情報端末装置１は、タブレット端末である。この他、情報端末装置１は、携帯電話機やノートパソコン等、他の種類の情報端末装置であっても良い。
【００１８】
図１（ａ）、（ｂ）に示す如く、情報端末装置１は、筐体１１と、タッチパネル１２と、フロントカメラ１３と、操作キー１４と、入出力端子１５と、リアカメラ１６とを備える。
【００１９】
タッチパネル１２は、液晶表示装置１２ａ（図２参照）の表示面上に、タッチ入力を検出するための透明なタッチパッド１２ｂ（図２参照）が重ねられた構成となっている。フロントカメラ１３は、タッチパネル１２の表示面に対向する領域を撮像する。タッチパネル１２に表示された画像を参照するユーザの顔が、フロントカメラ１３によって撮像される。操作キー１４は、電源キー等のハードキーを含み、筐体１１の右側面に配置される。入出力端子１５は、電源端子等の端子を含み、筐体１１の左側面に配置される。リアカメラ１６は、情報端末装置１の背面側の風景等を撮像する際に用いられる。
【００２０】
図２は、情報端末装置１の構成を示すブロック図である。
【００２１】
図２に示す如く、情報端末装置１は、操作入力部２１と、表示部２２と、スピーカー２３と、撮像部２４と、電源供給部２５と、二次電池２６と、無線通信部２７と、制御部２８とを備える。
【００２２】
操作入力部２１は、図１に示すタッチパネル１２のタッチパッド１２ｂと、操作キー１４とを含む。表示部２２は、図１に示すタッチパネル１２の液晶表示装置１２ａを含む。スピーカー２３は、図１に示す筐体１１内に収容されている。撮像部２４は、図１に示すフロントカメラ１３とリアカメラ１６とを含む。電源供給部２５は、二次電池２６の充電状態を監視し、入出力端子１５に接続された商用電源を二次電池に供給する。これにより、二次電池２６が充電される。
【００２３】
無線通信部２７は、電波を送受信するアンテナや、送受信の際に信号を変調および復調する回路等を含む。無線通信部２７は、制御部２８から入力される通信のための信号を無線信号に変換し、変換された無線信号を、アンテナを介して基地局や他の通信装置等の通信先へ送信する。さらに、無線通信部２７は、アンテナを介して受信した無線信号を制御部２８が利用できる形式の信号へ変換し、変換した信号を制御部２８へ出力する。
【００２４】
制御部２８は、ＣＰＵ（Central Processing Unit）と、メモリ等の記憶部２８ａとを含み、記憶部２８ａに保持されたプログラムに従って各部を制御する。記憶部２８ａは、制御用のプログラムを保持する他、制御部２８による制御の際のワーク領域としても利用される。記憶部２８ａに保持されたプログラムによって、制御部２８に、映像解析部２８ｂの機能が付与される。映像解析部２８ｂは、フロントカメラ１３により撮像された撮像画像を解析して、眼鏡やサングラス等の視覚補助具を抽出する。すなわち、映像解析部２８ｂは、液晶表示装置１２ａに表示された画像を参照するユーザが、眼鏡やサングラス等の視覚補助具を装着しているか否かを判定する。記憶部２８ａは、ユーザの顔から視覚補助具を抽出するためのエンジンをプログラムとして記憶している。
【００２５】
本実施の形態では、映像解析部２８ｂによる視覚補助具の抽出結果に基づいて、液晶表示装置１２ａに表示される画面の表示仕様が設定される。たとえば、フロントカメラ１３により撮像された撮像画像を解析した結果、撮像画像から眼鏡が抽出されると、液晶表示装置１２ａに表示される画面上の文字サイズが、眼鏡未装着の場合よりも拡大される。記憶部２８ａには、視覚補助具の装着状況に対応付けて、表示部２２の表示仕様が記憶されている。本実施の形態では、視覚補助具の装着状況と表示仕様との組合せが、情報端末装置１の製造時に予め記憶部２８ａに格納されている。
【００２６】
図３は、表示仕様の設定処理を示すフローチャートである。
【００２７】
図３を参照して、情報端末装置１が起動されると（Ｓ１１：ＹＥＳ）、制御部２８は、フロントカメラ１３を起動し、タッチパネル１２の表示面に対向する領域を撮像する（Ｓ１２）。撮像が終わると、フロントカメラ１３の制御部２８は、撮像した画像を解析し、眼鏡等の視覚補助具の抽出処理を実行する（Ｓ１３）。さらに、制御部２８は、視覚補助具の装着状況に対応する表示仕様を記憶部２８ａから読み出し（Ｓ１４）、読み出した表示仕様を表示部２２に設定する（Ｓ１５）。その後、情報端末装置１の電源がオフとなると（Ｓ１６：ＹＥＳ）、制御部２８は、表示仕様の設定処理を終了する。
【００２８】
図３のＳ１３では、撮像画像中に透明な眼鏡（以下、「透明眼鏡」という）またはサングラスに対応する領域が抽出されるか否かが判定される。記憶部２８ａには、透明眼鏡およびサングラスに対応する数種の部品画像が登録されている。制御部２８は、記憶部２８ａに登録されている各部品画像と撮像画像とのマッチング処理を行い、マッチング度合いが所定の閾値よりも高い領域を透明眼鏡またはサングラスに対応する領域として抽出する。
【００２９】
図４（ａ）〜図４（ｃ）は、表示仕様の設定例を模式的に示す図である。図４（ａ）〜図４（ｃ）は、それぞれ、視覚補助具の装着状況が、未装着、透明眼鏡の装着およびサングラスの装着であると制御部２８において判定された場合の表示仕様の設定例が示されている。ここでは、視覚補助具の装着状況が、“未装着”、“透明眼鏡の装着”および“サングラスの装着”である場合にそれぞれ対応付けて、画面の表示仕様（文字サイズ、輝度、コントラスト）が記憶部２８ａに記憶されている。
【００３０】
図３のＳ１３における解析により視覚補助具が抽出されなかった場合、すなわち、ユーザが視覚補助具を装着していないと判定された場合、制御部２８は、記憶部２８ａに記憶された表示仕様のうち、視覚補助具が未装着である場合の表示仕様を表示部２２に設定する。これにより、タッチパネル１２には、図４（ａ）に示すように、この表示仕様に対応する文字サイズ、輝度およびコントラストで画面を表示する。
【００３１】
図３のＳ１３における解析により透明な眼鏡が抽出された場合、すなわち、ユーザが視覚補助具として透明な眼鏡を装着していると判定された場合、制御部２８は、記憶部２８ａに記憶された表示仕様のうち、視覚補助具が透明な眼鏡である場合の表示仕様を表示部２２に設定する。これにより、タッチパネル１２には、図４（ｂ）に示すように、視覚補助具が未装着である場合の文字サイズよりも大きな文字サイズで画面を表示する。なお、この場合、画面の輝度およびコントラストは、視覚補助具が未装着である場合と同じである。
【００３２】
図３のＳ１３における解析によりサングラスが抽出された場合、すなわち、ユーザが視覚補助具としてサングラスを装着していると判定された場合、制御部２８は、記憶部２８ａに記憶された表示仕様のうち、視覚補助具がサングラスである場合の表示仕様を表示部２２に設定する。これにより、タッチパネル１２には、図４（ｃ）に示すように、視覚補助具が未装着である場合よりも輝度およびコントラストが高められた画面を表示する。なお、この場合、画面の文字サイズは、視覚補助具が未装着である場合と同じである。
【００３３】
＜実施形態の効果＞
以上、本実施の形態によれば、以下の効果が奏される。
【００３４】
フロントカメラ１３により撮像された撮像画像をもとに視覚補助具の使用状況が判定され、その判定結果に基づいて表示部２２に対する画面の表示仕様が設定される。このため、ユーザに対する視力検査の工程を踏む必要がなく、画面の表示仕様をスムーズに設定することが可能となる。
【００３５】
また、抽出対象の視覚補助具に透明眼鏡が含まれ、画面の表示仕様として文字サイズを含まれる。そして、撮像画像から透明眼鏡が抽出されると、文字サイズが拡大される。このため、眼鏡の装着の有無による視力の状況に円滑に対応することが可能となる。
【００３６】
さらに、抽出対象の視覚補助具にサングラスが含まれ、画面の表示仕様として輝度が含まれる。そして、撮像画像からサングラスが抽出されると、画面の輝度が高められる。このため、サングラスの装着の有無による明るさの状況に円滑に対応することが可能となる。本実施の形態では、撮像画像からサングラスが抽出されると、画面の輝度とともに、さらにコントラストも高められる。これにより、ユーザがサングラスを着用した際の画面の見易さが一層高められる。
【００３７】
なお、本実施の形態では、透明眼鏡の着用時に、特に画面のコントラストを高める表示仕様ではなかった。しかしながら、透明眼鏡の着用時にも、サングラス着用時と同じく、画面のコントラストを高めて、画面を見易くしても良い。
【００３８】
＜変更例＞
上記実施の形態では、視覚補助具と表示仕様とが互いに対応付けられて記憶部２８ａに予め記憶されていた。上記実施の形態では、透明眼鏡を装着するユーザは、透明眼鏡を装着しないユーザに比べて、近視や老眼等の理由により視力が弱いと判定され、文字サイズが拡大された。また、情報端末装置１が起動されたタイミングにのみ、視力補助具の着用の有無が判定されて、表示仕様の設定がなされた。しかしながら、日中はコンタクトレンズを着用し、夜間は眼鏡を着用するようなユーザも存在し、あるいは、画像を参照している最中に、透明眼鏡やサングラスを着脱することもある。このように、ユーザが視覚補助具を着用する状況は、情報端末装置１の使用状況やユーザの視覚補助の要否等により様々で、どのような表示仕様が良いかは、ユーザ毎に個別に相違すると考えられる。
【００３９】
本変更例は、このようなユーザのニーズに細かく対応することが可能な構成を提供するものである。本変更例では、視覚補助具毎に画面の表示仕様をユーザにより設定可能である。また、情報端末装置１が起動されたのち、所定時間毎に、視覚補助具の着用状況が判定され、画面の表示仕様が更新される。
【００４０】
図５（ａ）、（ｂ）は、ユーザが表示仕様の登録を行う際の受付画面の構成を示す図である。図５（ａ）は、初期の受付画面を示し、図５（ｂ）は、ユーザにより文字サイズが変更された後の受付画面を示している。図５（ａ）に示された初期の受付画面は、情報端末装置１に対する所定の操作により呼び出され表示される。
【００４１】
図５（ａ）を参照して、受付画面は、領域Ａ１〜Ａ５を含む。領域Ａ１〜Ａ３は、それぞれ、文字サイズ、輝度およびコントラストのうち何れに対して設定を行うかを指定するためのボタン領域である。ユーザは、文字サイズの設定を行う場合、領域Ａ１にタッチする。また、輝度またはコントラストを設定する場合は、領域Ａ２または領域Ａ３に対するタッチがなされる。
【００４２】
領域Ａ１〜Ａ３の直下には、それぞれ、＋ボタンＵ１〜Ｕ３と、−ボタンＤ１〜Ｄ３が設けられている。＋ボタンＵ１〜Ｕ３がタッチされると、それぞれ、文字サイズ、輝度およびコントラストが増大する。また、−ボタンＤ１〜Ｄ３が操作されると、それぞれ、文字サイズ、輝度およびコントラストが減少する。＋ボタンＵ１〜Ｕ３がタッチされる毎に、文字サイズ、輝度およびコントラストが所定レベルずつ増加し、−ボタンＤ１〜Ｄ３がタッチされる毎に、文字サイズ、輝度およびコントラストが所定レベルずつ低下する。＋ボタンＵ１〜Ｕ３と−ボタンＤ１〜Ｄ３は、直上の領域Ａ１〜Ａ３が選択されているときにのみ操作が可能となる。たとえば、領域Ａ１が選択されると、＋ボタンＵ１と−ボタンＤ１のみが操作可能となり、＋ボタンＵ２、Ｕ３と−ボタンＤ２、Ｄ３に対する操作は無効化される。
【００４３】
領域Ａ４は、表示仕様の設定対象とされる視覚補助具の種類を選択するための領域である。領域Ａ４がタッチされる毎に、視覚補助具の種類が変更される。図５（ａ）では、表示仕様の設定対象として“透明眼鏡”が指定されている。この状態で、領域Ａ４がタッチされると、表示仕様の設定対象が“サングラス”に変更され、さらにもう一度領域Ａ４がタッチされると、表示仕様の設定対象が“未装着”、すなわち、視覚補助具が未装着であることに変更される。なお、本変更例では、ユーザは、コンタクトレンズを付けている状態においても“未装着”を選択することが可能である。コンタクトレンズを付けているか否かは画像解析からは判定が困難であり、日常的にコンタクトレンズが付けられている場合もある。この点を考慮して、本変更例では、ユーザがコンタクトレンズを付けている状態において“未装着”を選択することが可能とされている。
【００４４】
領域Ａ５は、各視覚補助具に対する表示仕様を登録するためのボタン領域である。領域Ａ６は、画面のサンプル画像を表示するための領域である。図５（ａ）では、領域Ａ６に、“ＡＢＣＤＥＦＧ”の文字が単色の背景とともに表示されている。領域Ａ６に表示されるサンプル画像は、初期の受付画面では、所定の文字サイズ、輝度およびコントラストに設定されている。
【００４５】
ユーザは、図５（ａ）に示す受付画面において、領域Ａ４にタッチして、表示仕様の設定対象とされる視覚補助具の種類を指定する。次に、ユーザは、領域Ａ１〜Ａ３の何れかをタッチして、設定しようとする表示仕様を選択する。たとえば、図５（ａ）の状態において、ユーザが領域Ａ１にタッチすると、透明眼鏡着用時の文字サイズの設定が可能となる。このとき、領域Ａ１は、色彩や明度等が領域Ａ２、Ａ３から区別される。これにより、ユーザは、領域Ａ１が選択されていること、すなわち、文字サイズの設定が可能な状態にあることを認識できる。
【００４６】
この状態で、ユーザが＋ボタンＵ１にタッチすると、図５（ｂ）に示すように、領域Ａ６に表示されている文字のサイズが増加される。ユーザは、自身の透明眼鏡を装着した状態で、領域Ａ６に表示された文字が所望のサイズになるまで、＋ボタンＵ１または−ボタンＤ１へのタッチを繰り返す。こうして文字が所望のサイズになると、ユーザは、適宜、領域Ａ２、Ａ３にタッチし、透明眼鏡使用時の輝度およびコントラストを設定する。こうして、透明眼鏡使用時の表示仕様を所望の状態に調整した後、ユーザは、領域Ａ５にタッチする。これにより、調整された表示仕様が透明眼鏡に対応付けられて、記憶部２８ａに登録される。
【００４７】
サングラスを着用する際の表示仕様の設定を行う場合、ユーザは、たとえば、図５（ａ）の受付画面において、領域Ａ４にタッチし、表示仕様の設定対象をサングラスに指定する。図６（ａ）は、このときの状態を示す図である。この状態において、ユーザは、領域Ａ２にタッチする。これにより、画面に対する輝度調整が可能となる。ユーザは、サングラスを装着した状態で、領域Ａ６に表示された画像が所望の輝度になるまで、＋ボタンＵ２または−ボタンＤ２へのタッチを繰り返す。こうして輝度が所望のレベルになると、ユーザは、適宜、領域Ａ１、Ａ３にタッチし、サングラス使用時の文字サイズおよびコントラストを設定する。こうして、サングラス使用時の表示仕様を所望の状態に調整した後、ユーザは、領域Ａ５にタッチする。これにより、調整された表示仕様がサングラスに対応付けられて、記憶部２８ａに登録される。
【００４８】
上記と同様の手順により、視覚補助具が“未装着”である場合の表示仕様が登録される。この場合、領域Ａ４に対するタッチにより、表示仕様の設定対象が“未装着”に指定される。上記のように、本変更例では、“未装着”には、コンタクトレンズを着用している場合が含まれる。ユーザは、このように表示仕様の設定対象を“未装着”に指定した後、領域Ａ１〜Ａ３へのタッチおよび＋ボタンＵ１〜Ｕ３、−ボタンＤ１〜Ｄ３へのタッチにより、文字サイズ、輝度およびコントラストを所望のレベルに調整する。その後、ユーザは、領域Ａ５にタッチして、調整した表示仕様を“未装着”に対応付けて、記憶部２８ａに登録する。
【００４９】
図７は、変更例に係る表示仕様の設定処理を示すフローチャートである。このフローチャートは、図３に示すフローチャートに対して、Ｓ１７が追加されている。
【００５０】
情報端末装置１が起動されると（Ｓ１１：ＹＥＳ）、制御部２８は、図３の場合と同様、Ｓ１２〜Ｓ１５の処理を実行して、視覚補助具の装着状況に対応する画面の表示仕様を表示部２２に設定する。ここで設定される表示仕様は、図５（ａ）、（ｂ）および図６（ａ）、（ｂ）を参照して説明した手順によりユーザが任意に設定した表示仕様である。こうして画面の表示仕様が設定されると、制御部２８は、表示仕様の設定から所定時間が経過するのを待つ（Ｓ１７）。表示仕様の設定から所定時間が経過すると（Ｓ１７：ＹＥＳ）、制御部２８は、Ｓ１２〜Ｓ１５の処理を再度実行し、表示仕様の設定を更新する。この更新は、情報端末装置１の電源がオフとなるまで（Ｓ１６）、所定時間が経過する毎に（Ｓ１７）、繰り返し行われる。その後、情報端末装置１の電源がオフとなると（Ｓ１６：ＹＥＳ）、制御部２８は、表示仕様の設定処理を終了する。
【００５１】
本変更例によれば、制御部２８が、予め、視覚補助具の使用状況毎に、表示仕様の設定をユーザから受け付けて登録する処理を実行する。そして、実使用時において、制御部２８は、登録した表示仕様のうち視覚補助具の使用状況の判定結果に対応する表示仕様を、表示部２２に設定する。したがって、本変更例によれば、ユーザ毎の視覚補助具の使用状況に適正に対応した表示仕様を、表示部２２に設定することができる。
【００５２】
また、本変更例によれば、表示仕様の設定をユーザから受け付けるための受付画面が表示部２２に表示され、この受付画面に対するユーザからの入力に応じて受付画面に表示されたサンプル画像の表示仕様が変更される。このため、ユーザは、表示仕様の設定の際に、サンプル画像を確認しながら、所望の表示仕様に設定を調整することができる。よって、視覚補助具に対応する表示仕様を簡便かつ効率的に登録することができる。
【００５３】
以上、本発明の実施の形態および変更例について説明したが、本発明は上記実施の形態および変更例に何ら制限されるものではない。
【００５４】
たとえば、上記実施の形態および変更例では、視覚補助具として透明眼鏡とサングラスが示されたが、対象とされる視覚補助具はこれらに限定されるものではない。たとえば、画像処理により判別が可能であれば、ブルーライトカット眼鏡が視覚補助具の対象として含まれても良く、また、透明眼鏡が近視用の眼鏡と老眼鏡とに区別されて、眼鏡の種別毎に表示仕様が変更されても良い。
【００５５】
また、上記実施の形態および変更例では、設定対象とされる表示仕様として、文字サイズ、輝度およびコントラストが示されたが、これら以外の表示仕様が対象に含められても良い。たとえば、画面の明度や色味、フォントの種類等が、設定対象とされる表示仕様に含められても良い。
【００５６】
また、上記変更例では、図５（ａ）に示す受付画面に領域Ａ４を含めておき、この領域Ａ４に対するタッチにより、表示仕様の設定対象とされる視覚補助具の種類（透明眼鏡／サングラス／未装着）が指定されたが、視覚補助具の種類の指定方法は、これに限られるものではない。たとえば、表示仕様の設定動作の際に、フロントカメラ１３により撮像した画像から画像処理により視覚補助具を抽出し、抽出した視覚補助具の種類を判定して、表示仕様の設定対象とされる視覚補助具の種類として指定しても良い。こうすると、視覚補助具を指定するための入力が不要となるため、表示仕様を設定する際の操作をより簡便なものとすることができる。
【００５７】
また、フロントカメラ１３により撮像した画像から画像処理により視覚補助具を部品画像として抽出し、抽出した部品画像に対応付けて、ユーザにより設定された表示仕様を記憶部２８ａに記憶するようにしても良い。こうすると、たとえば、ユーザが度の異なる複数の眼鏡を所持する場合や、近視用の眼鏡と老眼用の眼鏡を所持する場合、あるいは、視力矯正機能のないサングラスと度付きサングラスとを所持するような場合に、各眼鏡または各サングラスに対応付けて表示仕様を設定することができる。これにより、ユーザにおける視覚補助具の使用状況により一層細かく対応可能な表示仕様の設定動作を実現することができ、ユーザの利便性を一層高めることができる。
【００５８】
また、表示仕様を設定するための受付画面は、図５（ａ）に示されたものに限られるものではなく、領域のレイアウトや、表示仕様の変更のための操作アイテム等は、適宜変更可能である。
【００５９】
この他、本発明の実施の形態は、特許請求の範囲に示された技術的思想の範囲内において、適宜、種々の変更が可能である。
【符号の説明】
【００６０】
１  …  情報端末装置
１２  …  タッチパネル（表示部、タッチセンサー）
１２ａ  …  液晶表示装置（表示部）
１２ｂ  …  タッチパッド（タッチセンサー）
１３  …  フロントカメラ（撮像部）
１４  …  支軸
２２  …  表示部
２４  …  撮像部
２８  …  制御部
【図１】
2015215436.tif 000003
【図２】
2015215436.tif 000004
【図３】
2015215436.tif 000005
【図４】
2015215436.tif 000006
【図５】
2015215436.tif 000007
【図６】
2015215436.tif 000008
【図７】
2015215436.tif 000009